(57)【特許請求の範囲】
【請求項１】
無線電話により通話を行うために必要なＩＤ情報データが記憶される書き込み可能な記憶手段と、カード式電話装置に対してデータの転送を可能とするためのインターフェイス部と、前記記憶手段より読み込んだＩＤ情報データを前記インターフェイス部を介して前記カード式電話装置側に転送すると、前記記憶手段に記憶されているＩＤ情報データを消去するように制御するカード側制御手段とを備えてなるＩＣカードと、
前記ＩＣカードと通信を行うためのカードインターフェイス部を介して前記ＩＣカードより転送されたＩＤ情報データを不揮発性の記憶手段に記憶させる装置側制御手段を備え、前記ＩＤ情報データを利用して通話を行うカード式電話装置とによって構成されることを特徴とするカード式電話システム。
【請求項２】
前記装置側制御手段は、前記ＩＣカードより転送されたＩＤ情報のデータ値が正常であるか否かを判断して、正常である場合は前記ＩＣカードに対して消去許可信号を送信し、
前記カード側制御手段は、前記消去許可信号を受信すると、前記記憶手段に記憶されているＩＤ情報データを消去するように制御することを特徴とする請求項１記載のカード式電話システム。
【請求項３】
前記装置側制御手段は、ＩＤ情報データが既に消去されているＩＣカードを、外部メモリとして使用することを特徴とする請求項１または２記載のカード式電話システム。
【請求項４】
前記装置側制御手段は、ユーザによりＩＤ情報の消去指令を発行する操作が行われると、ＩＤ情報データが既に消去されているＩＣカードに対して前記不揮発性の記憶手段に記憶させたＩＤ情報データを転送すると共に、前記不揮発性の記憶手段に記憶させたＩＤ情報データを消去するように制御し、前記カード側制御手段は、前記装置側制御手段により転送されたＩＤ情報データを記憶手段に書き込むように制御することを特徴とする請求項１乃至３の何れかに記載のカード式電話システム。
【請求項５】
無線電話により通話を行うために必要なＩＤ情報データが記憶される書き込み可能な記憶手段と、カード式電話装置に対してデータの転送を可能とするためのインターフェイス部と、前記記憶手段より読み込んだＩＤ情報データを前記インターフェイス部を介して前記カード式電話装置側に転送すると、以降のＩＤ情報データの転送を禁止するように制御するカード側制御手段とを備えてなるＩＣカードと、
前記ＩＣカードと通信を行うためのカードインターフェイス部を介して前記ＩＣカードより転送されたＩＤ情報データを不揮発性の記憶手段に記憶させる装置側制御手段を備え、前記ＩＤ情報データを利用して通話を行うカード式電話装置とによって構成されることを特徴とするカード式電話システム。
【請求項６】
前記装置側制御手段は、前記ＩＣカードより転送されたＩＤ情報のデータ値が正常であるか否かを判断して、正常である場合は前記ＩＣカードに対して転送禁止信号を送信し、
前記カード側制御手段は、前記転送禁止信号を受信すると、前記記憶手段に記憶されているＩＤ情報データの転送を禁止するように制御することを特徴とする請求項５記載のカード式電話システム。
【請求項７】
前記装置側制御手段は、複数のＩＣカードより転送されたＩＤ情報データを不揮発性の記憶手段に夫々記憶させ、ユーザの選択操作に応じて、当該記憶手段に記憶させた複数のＩＤ情報データの何れか１つを選択して使用可能に構成されていることを特徴とする請求項１乃至６の何れかに記載のカード式電話システム
【請求項８】
請求項１乃至７の何れかに記載のカード式電話システムに使用されることを特徴とするＩＣカード。
【請求項９】
請求項１乃至７の何れかに記載のカード式電話システムに使用されることを特徴とするカード式電話装置。
【請求項１０】
無線電話により通話を行うために必要なＩＤ情報データが記憶されている記憶手段を備えたＩＣカードと通信を行うためのカードインターフェイス部を介して、前記ＩＣカードの記憶手段より読み込んだＩＤ情報データを装置側の不揮発性記憶手段に記憶させると、前記ＩＣカードの記憶手段に記憶されているＩＤ情報データを消去するように制御する制御手段を具備し、前記不揮発性記憶手段に記憶させたＩＤ情報データを利用して通話を行うことを特徴とするカード式電話装置。
【請求項１１】
前記制御手段は、前記ＩＣカードの記憶手段より読み込んだＩＤ情報のデータ値が正常であるか否かを判断して、正常である場合は前記ＩＣカードの記憶手段に記憶されているＩＤ情報データを消去するように制御することを特徴とする請求項１０記載のカード式電話装置。
【請求項１２】
前記制御手段は、ＩＤ情報データが既に消去されているＩＣカードを、外部メモリとして使用することを特徴とする請求項１０または１１記載のカード式電話装置。
【請求項１３】
前記制御手段は、ユーザによりＩＤ情報の消去指令が与えられると、ＩＤ情報データが既に消去されているＩＣカードに対して前記不揮発性の記憶手段に記憶させたＩＤ情報データを転送して書込むと共に、前記不揮発性の記憶手段に記憶させたＩＤ情報データを消去するように制御することを特徴とする請求項１０乃至１２の何れかに記載のカード式電話装置。
【請求項１４】
無線電話により通話を行うために必要なＩＤ情報データが記憶されている記憶手段を備えたＩＣカードと通信を行うためのカードインターフェイス部を介して、前記ＩＣカードの記憶手段より読み込んだＩＤ情報データを装置側の不揮発性記憶手段に記憶させると、以降の前記ＩＤ情報データの読み出しを不能とするように制御する制御手段を具備し、前記不揮発性記憶手段に記憶させたＩＤ情報データを利用して通話を行うことを特徴とするカード式電話装置。
【請求項１５】
前記制御手段は、前記ＩＣカードの記憶手段より読み込んだＩＤ情報のデータ値が正常であるか否かを判断して、正常である場合は前記ＩＣカードの記憶手段に記憶されているＩＤ情報データを読出し不能とするように制御することを特徴とする請求項１４記載のカード式電話装置。
【請求項１６】
前記制御手段は、複数のＩＣカードより転送されたＩＤ情報データを不揮発性の記憶手段に夫々記憶させ、ユーザの選択操作に応じて、当該記憶手段に記憶させた複数のＩＤ情報データの何れか１つを選択して使用可能に構成されていることを特徴とする請求項１０乃至１５の何れかに記載のカード式電話装置。
【請求項１７】
自動車に搭載され、自動車電話装置として構成されていることを特徴とする請求項１０乃至１６の何れかに記載のカード式電話装置。
【発明の詳細な説明】
【０００１】
【発明の属する技術分野】
本発明は、カード式電話装置がカードインターフェイス部を介してＩＣカードと通信を行い、ＩＣカードより必要なＩＤ情報を得て無線電話により通話を行うように構成されるカード式電話システム及びそのシステムに使用されるＩＣカード並びにカード式電話装置に関する。
【０００２】
【従来の技術】
例えば、自動車電話装置や携帯電話装置などは、ユーザが購入する際に各電話装置に対して、ユーザが通話を行うために必要なＩＤ情報データを割り当てるようにしている。そのＩＤ情報データは、装置内部のＥＥＰＲＯＭのような不揮発性の記憶手段に専用のインターフェイスを介して書き込み記憶させるようになっており、ＩＤ情報データが書込まれた電話装置は実際に使用が可能となる。従って、後日、ユーザの都合によりＩＤ情報を変更したくなった場合は、ユーザが販売店やサービスショップなどに出向いて、電話装置に書き込まれているＩＤ情報を変更してもらう必要があるため、非常に不便であった。
【０００３】
また、電話装置がナビゲーション装置やラジオユニット等に予め組み込まれてモジュールを構成している場合は、電話装置を取り出すことができない可能性がある。
【０００４】
このような問題を解決するものとして、カード式電話装置を用いたシステムが考えられている。カード式電話装置は、外部記憶装置としてのＩＣカードを接続可能なカードインターフェイスを備えている。そして、ＩＣカードに前記ＩＤ情報データを記憶させておき、ユーザは、そのＩＣカードを得て装置本体に接続すれば、ＩＣカードに記憶されている電話番号等が装置本体側のＲＡＭなどの記憶手段に転送されて通話が可能となるように構成されている。従って、ＩＤ情報の変更を容易に行うことができると共に、更には、必要に応じて１台の電話装置で複数のＩＤ情報を使い分けることもできる。
【０００５】
また、上記のようなカード式電話装置を自動車電話装置に適用することが考えられている。例えば、カード式電話装置を予め自動車に組み込んでおき、ユーザが自動車の購入時にオプションとして自動車電話の使用を希望する場合には、ＩＤ情報データが記憶されているＩＣカードをディーラーより供給する。従来は、電話装置の販売店の従業員が店舗においてＩＤ情報データを書いていたが、この場合、他の店舗でも、例えばディーラーの従業員がＩＤ情報データを書くこともできる。更に、ＩＣカードを取得したユーザは、当該ＩＣカードをカード式電話装置に接続すれば自動車電話装置としての使用が可能となる。
【０００６】
即ち、自動車に後から別売りの自動車電話装置のユニットを搭載することを想定すると、各構成要素を設置することや配線の引き回しなどにより車室内が煩雑とならざるを得ない。そこで、上述したようにカード式電話装置を予め自動車に組み込み、その機能を有効化させる場合にユーザがＩＣカードを取得することで行うようにすれば、車室の内装デザインを統一的に行い空間をより機能的にすると共に美感を高めることができる。
【０００７】
【発明が解決しようとする課題】
しかしながら、従来のカード式電話システムでは、ＩＣカードとカード式電話装置とは一体で使用すべきであるという考えに基づいており、カード式電話装置を使用する場合にＩＣカードを常時電話装置本体に装着することを前提に構成されている。従って、ユーザは、電話装置を使用する可能性がある場合にはＩＣカードを常に電話装置に装着しなければならず、煩わしいという問題があった。
【０００８】
一方、多くはセキュリティ確保の問題等で、ＩＤ情報を書く作業は電話装置の販売店のみでしかサービスされず、電話装置のみを購入したり、ＩＤ情報だけを後で書くことは不可能であった。
【０００９】
本発明は上記事情に鑑みてなされたものであり、その目的は、従来方式に加えて、ＩＣカードを常に装置本体に装着することなく、ＩＤ情報の変更を容易に行い得るカード式電話システム及びＩＣカード並びにカード式電話装置を提供することにある。
【００１０】
【課題を解決するための手段】
請求項１または５記載のカード式電話システムによれば、カード側制御手段は、記憶手段より読み込んだ通話を行うために必要なＩＤ情報データをインターフェイス部を介してカード式電話装置側に転送すると、記憶手段に記憶されているＩＤ情報データを消去するか（請求項１）、または、以降のＩＤ情報データの転送を禁止する（請求項５）。そして、装置側制御手段は、カードインターフェイス部を介してＩＣカードより転送されたＩＤ情報データを不揮発性の記憶手段に記憶させる。
【００１１】
即ち、ＩＣカードをカード式電話装置に対してＩＤ情報データを転送するために一時的に接続すれば、ＩＤ情報データはカード式電話装置側の不揮発性記憶手段に記憶される。従って、ＩＣカードを常時装置本体に接続する必要がなくなり、ユーザは、カード式電話装置を使用する場合に備えてＩＣカードを常時携帯する必要がなくなるので利便性を向上させることができる。
【００１２】
そして、異なるＩＤ情報が記憶されたＩＣカードを供給すれば、ユーザは、ＩＤ情報を容易に変更することができる。加えて、カード式電話装置本体にＩＤ情報データが記憶された後は、ＩＣカードの記憶手段に記憶されているＩＤ情報データは消去されるか（請求項１）、または、読み出し不能となるので（請求項５）、ユーザの個人的な情報に関するセキュリティを確保することができる。
【００１３】
請求項２または６記載のカード式電話システムによれば、装置側制御手段は、ＩＣカードより転送されたＩＤ情報のデータ値が正常であるか否かを判断して、正常である場合はＩＣカードに対して消去許可信号（請求項２）または転送禁止信号（請求項６）を送信し、カード側制御手段は、消去許可信号または転送禁止信号を受信すると記憶手段に記憶されているＩＤ情報データを消去する（請求項２）か、または、ＩＤ情報データの転送を禁止する（請求項６）。
【００１４】
従って、ＩＣカード側に記憶されているＩＤ情報データは、カード式電話装置側により正常に読み込まれたことが確認された場合、消去（請求項２）または転送が禁止（請求項６）されるので、ＩＤ情報データの読み込みが異常であったにもかかわらずＩＤ情報データが消去されたり（請求項２）転送が禁止（請求項６）されてしまうことを防止することができる。
【００１５】
請求項３記載のカード式電話システムによれば、装置側制御手段は、ＩＤ情報データが既に消去されているＩＣカードを外部メモリとして使用するので、例えば、電話帳やメモリダイヤルなどとして登録可能な件数を増加させることができる。
【００１６】
請求項４記載のカード式電話システムによれば、装置側制御手段は、ユーザによりＩＤ情報の消去指令を発行する操作が行われると、ＩＤ情報データが既に消去されているＩＣカードに対して不揮発性の記憶手段に記憶させたＩＤ情報データを転送し、当該記憶手段に記憶させたＩＤ情報データを消去するように制御し、カード側制御手段は、装置側制御手段により転送されたＩＤ情報データを記憶手段に書き込むように制御する。
【００１７】
即ち、ユーザが、現在使用しているＩＤ情報を不要と判断してその消去指令を発行する操作を行うと、カード式電話装置のＩＤ情報データがＩＣカードに転送された後、そのＩＤ情報データは消去される。そして、ＩＣカードに転送されたＩＤ情報データは、再びＩＣカード側の記憶手段に書き込まれるので、ユーザが不要としたＩＤ情報をＩＣカードにより回収することができる。また、そのＩＣカードを再利用することも可能である。
【００１８】
請求項７記載のカード式電話システムによれば、装置側制御手段は、複数のＩＣカードより転送されたＩＤ情報データを不揮発性の記憶手段に夫々記憶させ、ユーザの選択操作に応じて、当該記憶手段に記憶させた複数のＩＤ情報データの何れか１つを選択して使用可能に構成されるので、ユーザは、必要に応じてＩＤ情報を使い分けることができる。従って、例えば、複数のユーザが、１台の電話装置を夫々異なるＩＤ情報を用いて使い分けることにより、課金処理などを各ユーザ毎に行うことができる。
【００１９】
請求項８記載のＩＣカードによれば、請求項１乃至８の何れかに記載のカード式電話システムに使用された場合に、カード式電話装置本体にＩＤ情報データが記憶されると、記憶手段に記憶されているＩＤ情報データは消去するか、または、読み出し不能とするので、ユーザの個人的な情報に関するセキュリティを確保することができる。
【００２０】
請求項９記載のカード式電話装置によれば、請求項１乃至８の何れかに記載のカード式電話システムに使用された場合に、ＩＣカードより転送されたデータを不揮発性の記憶手段に記憶させるので、ＩＣカードを常時装置本体に接続する必要がなくなり利便性を向上させることができる。
【００２１】
請求項１０または１４記載のカード式電話装置によれば、制御手段は、カードインターフェイス部を介してＩＣカードの記憶手段より読み込んだ電話番号などを含むＩＤ情報データを装置側の不揮発性の記憶手段に記憶させる。すると、ＩＣカードの記憶手段に記憶されているＩＤ情報データを消去するか（請求項１０）、または、記憶されているＩＤ情報データの読み出しを不能とする（請求項１４）。
【００２２】
従って、請求項１または５と同様に、ＩＣカードを常時装置本体に接続する必要がなくなり、ユーザは、ＩＤ情報を容易に変更することができる。そして、ユーザの個人的な情報に関するセキュリティを確保することができる。
【００２３】
請求項１１または１５記載のカード式電話装置によれば、制御手段は、ＩＣカードの記憶手段より読み込んだＩＤ情報のデータ値が正常であるか否かを判断して、正常である場合はＩＣカードの記憶手段に記憶されているＩＤ情報データを消去するか（請求項１１）、または、ＩＤ情報データの読み出しを不能とする  （請求項１５）。従って、請求項２または６と同様に、ＩＤ情報データの読み込みが異常であったにもかかわらずＩＤ情報データを消去したり（請求項１１）読み出しを不能とする（請求項１５）ことを防止することができる。
【００２４】
請求項１２記載のカード式電話装置によれば、制御手段は、ＩＤ情報データが既に消去されているＩＣカードを外部メモリとして使用するので、請求項３と同様に、電話帳やメモリダイヤルなどとして登録可能な件数を増加させることができる。
【００２５】
請求項１３記載のカード式電話システムによれば、制御手段は、ユーザによりＩＤ情報の消去指令を発行する操作が行われると、ＩＤ情報データが既に消去されているＩＣカードに対して不揮発性の記憶手段に記憶させたＩＤ情報データを転送して書込み、当該記憶手段に記憶させたＩＤ情報データを消去するので、請求項４と同様に、ユーザが不要としたＩＤ情報をＩＣカードにより回収することができ、また、そのＩＣカードを再利用することもできる。
【００２６】
請求項１６記載のカード式電話装置によれば、制御手段は、複数のＩＣカードより転送されたＩＤ情報データを不揮発性の記憶手段に夫々記憶させ、ユーザの選択操作に応じて、当該記憶手段に記憶させた複数のＩＤ情報データの何れか１つを選択して使用可能に構成されるので、請求項７と同様に、例えば、複数のユーザが、１台の電話装置を夫々異なるＩＤ情報を用いて使い分けることにより、課金処理などを各ユーザ毎に行うことができる。
【００２７】
請求項１７記載のカード式電話装置によれば、自動車に搭載され、自動車電話装置として構成されるので、例えば、カード式電話装置を予め自動車に組み込んでおき、ユーザがオプションで自動車電話の使用を希望した場合には、ＩＣカードに記憶されているＩＤ情報をカードインターフェイス部を介して電話装置側に与えてその機能を有効化させるようなシステムを容易に構成することができる。
しかも、請求項１または５と同様に、ユーザはＩＣカードを電話装置と共に常時携帯する必要がなく、利便性を向上させることができる。
【００２８】
【発明の実施の形態】
（第１実施例）
以下、本発明の第１実施例について図１乃至図５を参照して説明する。図３は、自動車電話装置１の電気的構成を示す機能ブロック図である。自動車電話装置（カード式電話装置）１は、アンテナ２を介して他の電話装置との通信を行うための無線機３と、この無線機３に接続されているクレードル４と、このクレードル４に着脱自在に載置されているハンドセット５とから構成されている。
【００２９】
無線機３とクレードル４とは、ハンドセット５を介して通話音声の受話音声を伝送するための受話音声ラインＲＡ及び同送話音声を伝送するための送話音声ラインＴＡによって接続されており、また、無線機３とハンドセット５とは、各種制御用のシリアル信号を伝送するためのシリアル通信線ＳＬ１，ＳＬ２を介して接続されている。
【００３０】
ハンドセット５には、受話音声ラインＲＡ及び送話音声ラインＴＡに介挿されて受話音声及び送話音声を制御する音声ライン制御部６，シリアル通信線ＳＬ１，ＳＬ２によって伝送されるシリアル信号をバッファリングするシリアル信号制御部７，図示しない各種キースイッチの操作に応じて操作信号を出力する操作部８及びこれらによって出力される各種信号が与えられ、その各種信号に基づいて制御を行うコントローラ（装置側制御手段）９が内蔵されている。そのコントローラ９は、内部に不揮発性の記憶手段たるＥＥＰＲＯＭ９ａを備えている。
【００３１】
また、クレードル４には、受話音声を増幅する受話用アンプ１０及び受話用アンプ１０によって増幅された受話音声を出力するスピーカ１１，通話者の音声が入力されるマイク１２及びマイク１２に入力された音声を増幅する送話用アンプ１３が内蔵されている。即ち、クレードル４にスピーカ１１及びマイク１２が内蔵されていることによって、車両の乗員による自動車電話装置１の所謂ハンズフリー通話が可能となるように構成されている。
【００３２】
加えて、クレードル４にはコネクタ１３が備えられており、そのコネクタ１３を介してカードリーダ（カードインターフェイス部）１４が着脱可能に構成されている。カードリーダ１４は、ＳＩＭカード（ＩＣカード）１５が接続されるものであり、ＳＩＭカード１５とコントローラ９との間でデータの転送を行う必要がある場合にだけ、コネクタ１３に接続されるようになっている。
【００３３】
ここで、図５は、自動車電話装置１を自動車１６に搭載した状態の一例を示すものである。例えば、クレードル４及びハンドセット５は、車室内の運転席と助手席との間に配置されており、アンテナ２及び無線機３は、自動車１６のリア部に配置されている。
【００３４】
図４は、ＳＩＭカード１５の電気的構成を示す機能ブロック図である。ＳＩＭカード１５は、ＣＰＵ（カード側制御手段）１７，システムコントロールロジック１８，ＲＯＭ１９，ＲＡＭ２０，ＥＥＰＲＯＭ（記憶手段）２１及びＩ／Ｏポート（インターフェイス部）２２等を内蔵している。
【００３５】
ＲＯＭ１９には、ＣＰＵ１７の制御プログラムが記憶されており、書き換え可能な不揮発性メモリであるＥＥＰＲＯＭ２１には例えば、カード製造番号（或いは、カードを一意的に定める通し番号），アクセス認証番号（所謂、電話番号），パスワード，ＳＩＭ保有者（ユーザ）の情報（フリー領域）などが記録されている。尚、ＥＥＰＲＯＭ２１に記憶されているこれらの情報をまとめてＩＤ情報と称する。但し、上記は一例であり、ＩＤ情報は、通話を行うのに必要とされる最低限の情報であれば良い。また、ＲＡＭ２０は、ワークエリアとして使用される。
【００３６】
ＣＰＵ１７は、システムコントロールロジック１８を介して上記のメモリ１９〜２１にアクセスすると共に、シリアルポートであるＩ／Ｏポート２２を介して外部（自動車電話装置１）との間で通信を行うようになっている。
【００３７】
即ち、自動車電話装置１のコントローラ９は、コネクタ１３及びカードリーダ１４を介してＳＩＭカード１５のＩ／Ｏポート２２に接続されるようになっている。カードリーダ１４は、コントローラ９とＳＩＭカード１５との間のインターフェイスであり、例えば、コントローラ９が、ＳＩＭカード１５にアクセスする場合のデータをパラレル／シリアル変換するように構成されている。
【００３８】
ＳＩＭカード１５のＣＰＵ１７は、コントローラ９より発行される制御コードを、カードリーダ１４及びＩ／Ｏポート２２等を介して受信すると、その制御コードに応じて必要なデータをＥＥＰＲＯＭ２１より読み出してコントローラ９側に転送するようになっている。
【００３９】
そして、コントローラ９は、通話に先立って上記ＩＤ情報を無線機３を介して基地局側に送信する。すると基地局側では、送信されたＩＤ情報の照合を行い、その照合の結果問題がなければ、自動車電話装置１に対して通話を許可する。コントローラ９は、基地局によって通話が許可されると、ユーザが所望する通話先との間に通話回線を確立するための手続きを行い、通話を可能とするようになっている。
【００４０】
次に、本実施例の作用について図１及び図２をも参照して説明する。図１及び図２は、自動車電話装置１側のコントローラ９及びＳＩＭカード１５側のＣＰＵ１７の制御内容を示すフローチャートであり、主に本発明の要旨にかかる部分を示すものである。図１において、コントローラ９は、先ず、ＳＩＭカード１５が、カードリーダ１４を介してコネクタ１３に接続されているか否かを判断する  （ステップＡ１）。
【００４１】
上記判断は、例えば、コネクタ１３にカードリーダ１４が接続されており、且つ、そのカードリーダ１４にＳＩＭカード１５が接続されている場合には、コントローラ９側のポートにおいて何れかの入力ピンがハイレベルからロウレベルに変化するように構成しておき、コントローラ９がそのレベルを参照することで行うようにする。
【００４２】
ステップＡ１において、ＳＩＭカード１５が接続されていなければ（「ＮＯ」）、コントローラ９はステップＡ９に移行して、後述するようにステップＡ５においてセットされるＩＤフラグがセットされているか否かを判断する。ＩＤフラグがセットされていなければ「ＮＯ」と判断してステップＡ１に戻り、ＳＩＭカード１５が接続されるまで待機する。
【００４３】
以上のようにステップＡ１，Ａ９のループを回っている間に、ＳＩＭカード１５が接続されると、コントローラ９はステップＡ１で「ＹＥＳ」と判断し、ステップＡ９と同様にＩＤフラグがセットされているか否かを判断し（ステップＡ２）、セットされていなければ（「ＮＯ」）ステップＡ３に移行する。そして、ＳＩＭカード１５にＩＤ情報を読み出すための制御コードを与えて、ＩＤ情報を読み出す。
【００４４】
ここで、図２を参照する。ＳＩＭカード１５は、カードリーダ１４を介してコネクタ１３に接続されると、内蔵されている各電気的構成要素に対して、自動車電話装置１側より電源がリセット信号やクロック信号等と共に供給されるようになっており、すると、図２のフローチャートの実行がＣＰＵ１７によって開始される。
【００４５】
ＣＰＵ１７は、自動車電話装置１側よりＩＤ情報の読出し命令の制御コードが与えられるまで待機しており（ステップＢ１）、その制御コードが与えられると（「ＹＥＳ」）、ＥＥＰＲＯＭ２１よりＩＤ情報データを読み出して自動車電話装置１側に転送する（ステップＢ２，Ｂ３）。続いて、ＣＰＵ１７は、自動車電話装置１側よりデータ転送が正常に行われたことを示す“ＯＫコード（消去許可信号）”を所定時間内に受信したか否かを判断する。
【００４６】
再び、図１を参照して、コントローラ９は、ステップＢ３においてＳＩＭカード１５側より転送されたＩＤ情報データを読み出すと（ステップＡ３）、そのＩＤ情報データをＥＥＰＲＯＭ９ａに書込んで記憶させる（ステップＡ４）。それから、ＩＤ情報データに付されているエラーチェック用のコード（例えば、チェックサム）に基づいてエラーチェックを行い（ステップＡ５）、その結果、ＳＩＭカード１５より読み込んだデータが正常であれば（「ＹＥＳ」）、ＳＩＭカード１５に対して前述した“ＯＫコード”を送信する（ステップＡ６）。また、エラーチェックの結果、異常があればステップＡ３に戻り、再びＳＩＭカード１５よりＩＤ情報データを読み込む。
【００４７】
コントローラ９は、ステップＡ６で“ＯＫコード”を送信すると、図示しないＲＡＭのフラグ格納領域に、ＩＤ情報をＳＩＭカード１５より読み出したことを示す「ＩＤフラグ」をセットすると（ステップＡ７）、通常の処理を実行する  （ステップＡ８）。ここで、通常の処理とは、必要に応じた通話の開始などの処理である。通常の処理を実行した後はステップＡ１に戻る。
【００４８】
再び、図２を参照して、ＳＩＭカード１５のＣＰＵ１７は、ステップＢ４において自動車電話装置１側よりステップＡ６で送信された“ＯＫコード”を所定時間内に受信すると（「ＹＥＳ」）、ＥＥＰＲＯＭ２１のＩＤ情報が記憶されている領域の全てに例えばデータ“０”を書込むことでＩＤ情報を消去する（ゼロクリア，ステップＢ５）。それから、処理を終了する。また、ステップＢ４において“ＯＫコード”を所定時間内に受信しなかった場合は（「ＮＯ」）ステップＢ１に戻り、自動車電話装置１側より再度ＩＤ情報データの読み出し命令コードが送信されるまで待機する。
【００４９】
以降、自動車電話装置１のコントローラ９は、ステップＡ１においてＳＩＭカード１５が接続されている（「ＹＥＳ」）・いない（「ＮＯ」）かかわらず、ステップＡ２，Ａ９においてＩＤフラグがセットされているか否かを判断し、セットされている場合は何れも「ＹＥＳ」と判断してステップＡ１０に移行する。そして、ＥＥＰＲＯＭ９ａに記憶されているＩＤ情報データを読み出すとステップＡ８に移行する。
【００５０】
以上のように本実施例によれば、ＳＩＭカード１５のＣＰＵ１７は、ＥＥＰＲＯＭ２１より読み込んだ通話を行うために必要なＩＤ情報データをＩ／Ｏポート２２を介して自動車電話装置１側に転送すると、ＥＥＰＲＯＭ２１に記憶されているＩＤ情報データを消去する。そして、自動車電話装置１のコントローラ９は、カードリーダ１４を介してＳＩＭカード１５より転送されたＩＤ情報データをＥＥＰＲＯＭ９ａに記憶させるようにした。
【００５１】
即ち、ＳＩＭカード１５を自動車電話装置１に対してＩＤ情報データを転送するために一時的に接続すれば、ＩＤ情報データは自動車電話装置１側のＥＥＰＲＯＭ９ａに記憶される。従って、ＳＩＭカード１５を常時電話装置１の本体に接続する必要がなくなり、ユーザは、自動車電話装置１を使用する場合に備えてＳＩＭカード１５を常時携帯する必要がなくなるので利便性を向上させることができる。
【００５２】
そして、異なるＩＤ情報が記憶されたＳＩＭカードを供給すれば、ユーザは、ＩＤ情報を容易に変更することができる。加えて、自動車電話装置１本体にＩＤ情報データが記憶された後は、ＳＩＭカード１５のＥＥＰＲＯＭ２１に記憶されているＩＤ情報データは消去されるので、ユーザの個人的な情報に関するセキュリティを確保することができる。従って、同一のＩＤ情報を有する自動車電話装置が２台以上存在してしまうことを確実に防止することができる。加えて、カードリーダ１４を、自動車電話装置１に対し、コネクタ１３を介して着脱可能としたので、自動車１６に配置する構成要素を少なくすることができる。
【００５３】
また、本実施例によれば、コントローラ９は、ＳＩＭカード１５より転送されたＩＤ情報のデータ値が正常であるか否かを判断して、正常である場合はＳＩＭカード１５に対して“ＯＫコード”を送信し、ＣＰＵ１７は、“ＯＫコード”をを受信すると、ＥＥＰＲＯＭ２１に記憶されているＩＤ情報データを消去するようにした。
【００５４】
従って、ＳＩＭカード１５側に記憶されているＩＤ情報データは、自動車電話装置１側により正常に読み込まれたことが確認された場合に消去されるので、ＩＤ情報データの読み込みが異常であったにもかかわらず当該データが消去されてしまうことを防止できる。そして、コントローラ９は、ＩＤ情報データの読み込みが異常であった場合は、再度ＩＤ情報データをＳＩＭカード１５より読み込むので、データを極力正常に読み込むことができる。
【００５５】
加えて、カード式電話装置を自動車電話装置１として構成したので、例えば、自動車電話装置１を予め自動車１６に組み込んでおき、ユーザがオプションで自動車電話の使用を希望した場合には、ＳＩＭカード１５に記憶されているＩＤ情報を、自動車電話装置１側に転送させてその機能を有効化させるようなシステムを容易に構成することができる。
【００５６】
（第２実施例）
図６及び図７は、本発明の第２実施例を示すものであり、第１実施例と同一部分には同一符号を付して説明を省略し、以下異なる部分についてのみ説明する。第２実施例の構成は、基本的に第１実施例と同様であり、自動車電話装置１側のコントローラ９及びＳＩＭカード１５のＣＰＵ１７による制御内容が若干異なっている。
【００５７】
即ち、図６において、コントローラ９は、ステップＡ２において「ＮＯ」と判断すると、ＳＩＭカード１５のＥＥＰＲＯＭ２１においてフラグ格納領域として設定されている領域（例えば、０番地）を読み出し、当該領域に読出し禁止フラグがセットされているか否かを判断する（ステップＡ１０）。読出し禁止フラグは、後述するステップＢ６においてＳＩＭカード１５のＣＰＵ１７によってセットされるフラグである。
【００５８】
ここで、図７を参照して、ＳＩＭカード１５のＣＰＵ１７は、ステップＢ４において“ＯＫコード（この場合、転送禁止信号）”を受信し「ＹＥＳ」と判断すると、ステップＢ５に代わるステップＢ６に移行し、ＥＥＰＲＯＭ２１のフラグ格納領域に例えばデータ“１”を書込んで読出し禁止フラグをセットすると処理を終了する。
【００５９】
再び、図６を参照して、コントローラ９は、ステップＡ１１において読出し禁止フラグがセットされていなければ（「ＮＯ」）ステップＡ３に移行して、第１実施例と同様の処理を行う。一方、ステップＡ１１において読出し禁止フラグがセットされている場合は（「ＹＥＳ」）、ＳＩＭカード１５からのＩＤ情報の読み出しは禁止されており不能であることをユーザに報知する処理（ステップＡ１２）を行った後処理を終了する。
【００６０】
ステップＡ１２における読出し不能をユーザに報知する処理は、例えば、クレードル４に配置されている受話用のスピーカ１１より、「このカードからのＩＤ情報の読出しは禁止されています。他のカードを使用して下さい。」といったような音声を出力することで行ったり、或いは、ＬＥＤなどを点灯表示させたりして行うようにする。
【００６１】
以上のように第２実施例によれば、ＣＰＵ１７は、ＥＥＰＲＯＭ２１より読み込んだＩＤ情報データを自動車電話装置１側に転送すると、ＥＥＰＲＯＭ２１に記憶されているＩＤ情報データの読み出しを禁止するためのフラグをセットし、コントローラ９は、ＳＩＭカード１５よりＩＤ情報データを読み出す前に、前記読出し禁止フラグがセットされているか否かをチェックして、フラグがセットされていない場合にＩＤ情報データを読み出すようにした。
【００６２】
従って、第１実施例と同様に、自動車電話装置１本体にＩＤ情報データが記憶された後は、ＳＩＭカード１５のＥＥＰＲＯＭ２１に記憶されているＩＤ情報データは読み出し不能となるので、ユーザの個人的な情報に関するセキュリティを確保することができる。
【００６３】
（第３実施例）
図８及び図９は、本発明の第３実施例を示すものであり、第１実施例と同一部分には同一符号を付して説明を省略し、以下異なる部分についてのみ説明する。電気的構成を示す図８において、第１実施例のコントローラ９は、コントローラ（装置側制御手段）２３に置き換えられている。また、クレードル４に配置されていたコネクタ１３は、コネクタ（カードインターフェイス部）２４に置き換えられている。そして、第２実施例では、第１実施例のＳＩＭカード１５に代えて、メモリカード（ＩＣカード）２５を使用する。
【００６４】
メモリカード２５は、ＩＤ情報が記憶されているＥＥＰＲＯＭ（記憶手段）２６のみをＩＣとして内蔵したカードである。従って、カードリーダ１４は不要であり、メモリカード２５は、コネクタ２４に対して直接電気的に接続されるコンタクト（インターフェイス部）２５ａを有している。そして、メモリカード２５がコネクタ２４に接続された状態では、ＥＥＰＲＯＭ２６のアドレス及びデータバスや各制御信号線は、コントローラ２３のバスや制御信号線に直結されるように構成されている。
【００６５】
次に、第３実施例の作用について図９をも参照して説明する。コントローラ２３は、ステップＡ５におけるエラーチェックの結果「ＹＥＳ」と判断すると、
第１実施例においてＳＩＭカード１５のＣＰＵ１７がステップＢ５で行った処理と同様に、メモリカード２５に内蔵されているＥＥＰＲＯＭ２６のＩＤ情報が記憶されている領域の全てに例えばデータ“０”を書込んでゼロクリアすると（ステップＡ１３）ステップＡ７に移行する。尚、メモリカード２５にはＣＰＵが搭載されていないので、図２に相当するフローチャートはない。
【００６６】
即ち、第３実施例によれば、自動車電話装置１Ａのコントローラ２３は、メモリカード２５のＥＥＰＲＯＭ２６より読み込んだＩＤ情報データをＥＥＰＲＯＭ２３ａに記憶させると、ＥＥＰＲＯＭ２６に記憶されているＩＤ情報データを自らゼロクリアして消去する。従って、第１または第２実施例と同様の効果が得られる。
【００６７】
本発明は上記し且つ図面に記載した実施例にのみ限定されるものではなく、次のような変形または拡張が可能である。
第１実施例において、カードリーダ１４を接続するコネクタ１３は、クレードル４に配置するものに限らず、例えば、自動車１６のリア部に配置されている無線機３に配置して、後部のトランクを開けて接続するようにしても良い。この場合、コントローラ９を無線機３側に配置しても良い。更に、この場合、リア部に配置された無線機３より車室内にコネクタ１３を有するケーブルを引き回して、カードリーダ１４との接続は車室内で行うようしても良い。
また、カードインターフェイス部たるカードリーダとコントローラ９との通信を、無線方式で行うように構成しても良い。
カードリーダ１４の機能を、コントローラ９の内部に組み込んだり、または、コントローラ９の周辺装置として自動車電話装置１側に組み込んでも良い。
【００６８】
また、この場合、ＳＩＭカード１５内部にインターフェイス部としての無線通信機能を持たせて、コントローラ９との通信を無線方式で行うように構成しても良い。
ＩＤ情報を消去した後のＳＩＭカード１５のＥＥＰＲＯＭ２１を利用して、その後は、メモリダイヤルなどを記憶させる外部メモリカードとして使用しても良い。斯様に構成すれば、記憶容量を大幅に増加させることができる。
ステップＡ５においてエラーチェックを行う代わりに、ステップＡ３でＳＩＭカード１５より読み出したデータを、ステップＡ４においてＥＥＰＲＯＭ９ａに書込む前に例えばＲＡＭのワークエリア等に一時的に書込む。そして、エラーチェックを行った結果ＯＫであればＥＥＰＲＯＭ９ａに書込むようにしても良い。
また、自動車電話装置１側でエラーチェックを行い、その結果に応じてＯＫコードをＳＩＭカード１５側に出力し、ＳＩＭカード１５側でＯＫコードの発行を確認した後ＥＥＰＲＯＭ２１のＩＤ情報データを消去したり当該データの転送を禁止する方式は必要に応じて行えば良く、ステップＡ５，Ａ６，Ｂ４は削除しても良い。
【００６９】
自動車電話装置１側のＥＥＰＲＯＭは、コントローラ９に外付けであっても良い。
第２実施例において、ステップＡ１２の実行後は、ステップＡ１に戻るようにしても良い。
第３実施例の場合も、第２実施例と同様にメモリカード２５のＥＥＰＲＯＭ２６に対して、コントローラ２３が読出し禁止フラグをセットするようにしても良い。
また、セキュリティをより向上させるため、読出し禁止フラグをＳＩＭカード１５またはメモリカード２５にセットする方式に代えて、無線電話のシステム  （ネットワーク）側に用意されているサーバ等にカードのＩＤと共にセットするようにしておき、そのサーバにアクセスすることによりカードの読出し禁止フラグのセット／リセットを判定しても良い。或いは、カードと前記サーバとの両方にフラグをセットして、両方について確認するようにしても良い。
更に、カード式電話装置にＧＰＳ(Global Positioning System) を利用可能とする構成を備えることにより、読出し禁止フラグのセット／リセットの判定を、特定のエリアでのみ可能とするようにしても良い。
【００７０】
また、第１実施例を変形して以下のように構成しても良い。コントローラ９は、操作部８においてユーザによりＩＤ情報の消去指令を発行する操作が行われると、ＩＤ情報データが既に消去されているＳＩＭカード１５に対してＥＥＰＲＯＭ９ａに記憶させたＩＤ情報データを転送し、ＥＥＰＲＯＭ９ａ上のＩＤ情報データを消去する。そして、ＳＩＭカード１５のＣＰＵ１７は、コントローラ９により転送されたＩＤ情報データをＥＥＰＲＯＭ２１に書き込むように制御する。
即ち、ユーザが、現在使用しているＩＤ情報を不要と判断してその消去指令を発行する操作を行うと、カード式電話装置１のＩＤ情報データがＳＩＭカード１５に転送された後、そのＩＤ情報データは消去される。そして、転送されたＩＤ情報データは、再びＳＩＭカード１５側のＥＥＰＲＯＭ２１に書き込まれるので、ユーザが不要としたＩＤ情報をＳＩＭカード１５により回収することができる。そして、そのＳＩＭカード１５を再利用することも可能である。
また、第３実施例についても同様に変形して、コントローラ２３は、操作部８においてユーザにより同様の操作が行われると、ＥＥＰＲＯＭ２３ａに記憶させたＩＤ情報データを、ＩＤ情報データが既に消去されているメモリカード２５側に書き込んで、ＥＥＰＲＯＭ２３ａ上のデータを消去するように指定も良い。
【００７１】
この場合、例えば図１のフローチャートのステップＡ１において「ＹＥＳ」と判断すると、コントローラ９は、図示しない表示部に処理メニュー画面を表示させ、その内から「ＩＤ情報処理」を選択すると、ＳＩＭカード１５からのＩＤ情報の「読出し」、或いは、ＳＩＭカード１５に対するＩＤ情報の「書込み」、また、ＳＩＭカード１５側或いは携帯電話装置１側のＩＤ情報の「消去」などをユーザが適宜選択して処理するようにしても良い。
更に、例えばコントローラ９は、複数のＳＩＭカード１５より転送されたＩＤ情報データをＥＥＰＲＯＭ９ａに夫々記憶させ、ユーザの選択操作に応じて、記憶させた複数のＩＤ情報データの何れか１つを選択して使用可能に構成しても良い。斯様に構成すれば、ユーザは、必要に応じてＩＤ情報をカード式電話装置１に追加して使い分けることができるので、例えば、複数のユーザが、１台の電話装置を夫々異なるＩＤ情報を用いて使い分けることにより、課金処理などを各ユーザ毎に行うことができる。
自動車電話装置に適用するものに限らず、携帯電話装置等に適用しても良い。
【図面の簡単な説明】
【図１】本発明の第１実施例であり、自動車電話装置側におけるコントローラの制御内容を示すフローチャート
【図２】ＳＩＭカード側におけるＣＰＵの制御内容を示すフローチャート
【図３】自動車電話装置の電気的構成を示す機能ブロック図
【図４】ＳＩＭカードの電気的構成を示す機能ブロック図
【図５】自動車電話装置を自動車に搭載した状態の一例を概略的に示す図
【図６】本発明の第２実施例を示す図１相当図
【図７】図２相当図
【図８】本発明の第３実施例を示す図３相当図
【図９】図１相当図
【符号の説明】
１，１Ａは自動車電話装置（カード式電話装置）、９はコントローラ（装置側制御手段）、９ａはＥＥＰＲＯＭ（記憶手段）、１４はカードリーダ（カードインターフェイス部）、１５はＳＩＭカード（ＩＣカード）、１６は自動車、１７はＣＰＵ（カード側制御手段）、２１はＥＥＰＲＯＭ（記憶手段）、２３はＩ／Ｏポート（インターフェイス部）、２３はコントローラ（装置側制御手段）、２４はコネクタ（カードインターフェイス部）、２５はメモリカード（ＩＣカード）、２５ａはコンタクト（インターフェイス部）、２６はＥＥＰＲＯＭ（記憶手段）を示す。
【図１】
0004602502.tif 000002
【図２】
0004602502.tif 000003
【図３】
0004602502.tif 000004
【図４】
0004602502.tif 000005
【図５】
0004602502.tif 000006
【図６】
0004602502.tif 000007
【図７】
0004602502.tif 000008
【図８】
0004602502.tif 000009
【図９】
0004602502.tif 000010